(57)【要約】【課題】ダイレクトブロー成形法によるブロー比が小さい容器において、ブロー成形用の割金型による喰い切り痕の形成が底部の底面に限定された容器を提供することを技術的課題とし、従来にはない外観性に優れた新規なブロー成形容器を提供することを目的とする【解決手段】ダイレクトブロー成形法により得られ、底部の上方に筒状の胴部を連設しこの胴部の上方に円筒状の口部を連設した容器であること、ブロー成形用の割金型による喰切り痕が底部の底面にのみ形成されていること、口部の最小径がブロー成形により容器に形成されるパリソンの外径に等しいかわずかに大きいこと、底部の底面に形成された喰い切り痕の幅がパリソンの外径の１．６倍より小さいこと、にある。【選択図】　　　　　　　　図１
2004001314.tif 000002
【特許請求の範囲】
【請求項１】
ダイレクトブロー成形法により得られ、底部（４）の上方に筒状の胴部（３）を連設し該胴部（３）の上方に円筒状の口部（２）を連設した容器（１）において、ブロー成形用の割金型（１２）による喰い切り痕（５）が底部（４）の底面（４ａ）にのみ形成され、前記口部（２）の最小径がブロー成形により前記容器（１）に形成されるパリソン（１１）の外径に等しいかわずかに大きく、前記底部（４）の底面（４ａ）に形成された喰い切り痕（５）の幅が前記パリソン（１１）の外径の１．６倍より小さいことを特徴とするブロー成形容器。
【請求項２】
底部（４）のパーティングライン（６）方向の寸法が、口部（２）の最小径と等しいかわずかに小さいことを特徴とする、請求項１記載のブロー成形容器。
【発明の詳細な説明】
【０００１】
【発明の属する技術分野】
本発明は、ブロー成形された容器、特にはダイレクトブロー法で成形されたブロー比の小さな容器に関する。
【０００２】
【従来の技術】
ダイレクトブロー成形方法は押出機により筒状の溶融樹脂を押し出し、これをブロー成形用の割金型で型締めして挟み込み、当該金型のキャビティーの底辺に配設の刃部であるピンチオフ部で溶融樹脂の下部を切断すると共に、金型の上部ではパリソンカッターで筒状の溶融樹脂の上部を切断することで、有底筒体のパリソンを形成し、次いで金型の頂部より挿入のエアーノズルによってブローエアーがパリソンに吹き込まれて成形品に成形される。
【０００３】
上記、成形方法により、ダイレクトブロー成形法は射出成形法あるいは、プリフォームなる射出成形された中間成形品を使用するブロー成形方法に比較して安価に成形品を提供でき、例えば食品用容器、液体洗剤用容器等の広い分野で使用されている。
【０００４】
またコア−金型を使用しないので、アンダーカット性を考慮することなく容器の内面に凸凹構造を形成することができるという特徴を有する。
【０００５】
【発明が解決しようとする課題】
しかしながら、ダイレクトブロー成形では必ず上記したピンチオフ部により容器の底部に喰い切り部が形成され、またこの喰い切り痕の幅は、通常円筒状のパリソンを扁平に押し潰した幅すなわちパリソンの外径の１．６倍となる。
【０００６】
このため、たとえばマスカラ、アイライナー等に使用する小型容器、あるいは胴部に比較して口部の口径を大きくした広口の容器等のブロー比の小さな容器においては割金型のパーティングライン側に樹脂がはみ出て、容器の底部近傍の側面に喰い切り痕が残り、特に外観が商品性の重要な要素となる化粧料容器等の分野では使用することができない。
【０００７】
本発明は、上記した従来の技術の問題点を解消すべく創案されたものであり、ダイレクトブロー成形法によるブロー比が小さい容器において、ブロー成形用の割金型による喰い切り痕の形成が底部の底面に限定された容器を提供することを技術的課題とし、従来にはない外観性に優れた新規なブロー成形容器を提供することを目的とする。
【０００８】
【課題を解決するための手段】
上記技術的課題を解決するための本発明のうち、請求項１記載の発明の手段は、ダイレクトブロー成形法により得られ、底部の上方に筒状の胴部を連設しこの胴部の上方に円筒状の口部を連設した容器であること、ブロー成形用の割金型による喰切り痕が底部の底面にのみ形成されていること、口部の最小径がブロー成形により容器に形成されるパリソンの外径に等しいかわずかに大きいこと、底部の底面に形成された喰い切り痕の幅がパリソンの外径の１．６倍より小さいこと、にある。
【０００９】
請求項１記載の上記構成により、口部の最小径を、ブロー成形により容器に形成されるパリソンの外径に等しいかわずかに大きくすることにより、口部が割金型で縦方向にピンチオフされることなく、口部に喰い切痕およびバリ痕が形成されることがない。
【００１０】
また、ダイレクトブロー成形では底部のピンチオフ部により容器の底部に、パーティングライン方向に沿って喰い切り痕が形成さるが、この喰い切り痕の幅は、円筒状のパリソンを扁平に押し潰し幅すなわちパリソンの外径の１．６倍になり、すなわち特には底部のパーティングライン方向のブロー比が少なくとも１．６倍以上でないとこの喰い切り痕が底部近傍の容器側面に露出してしまう。
【００１１】
ここで請求項１の構成にあるように、底部の底面に形成された喰い切り痕の幅をパリソンの外径の１．６倍より小さくすることにより、底部近傍のブロー比が１．６倍未満の低ブロー比の容器においても、喰い切り痕の形成を底部の底面に限定することができる。
【００１２】
また上記、喰い切り痕の幅をパリソンの外径の１．６倍よりも小さくすることは、割金型のキャビティーの下方においてパリソンの扁平状のつぶれ変形を規制しながらピンチオフ部で挟み込むことにより達成することができる。
【００１３】
請求項２記載の発明の手段は、請求項１記載の発明において、底部のパーティングライン方向の寸法を、口部の最小径と等しいかわずかに小さくすること、にある。（ここで云うパーティングライン方向の寸法は容器全体が円筒状であれば、底部の径に相当するものである。）
【００１４】
請求項２記載の上記構成により、口部の最小径がブロー成形により容器に形成されるパリソンの外径に等しいかわずかに大きいという構成を考え合わせると、底部のブロー比を１よりわずかに大きい値に設定する必要があるが、喰い切り痕の幅を十分小さくすることにより、口部、胴部に比較して底部の径が小さく、かつ喰い切り部の形成が底部の底面に限定された、ダイレクトブロー成形法では従来にはない容器を提供することができる。
【００１５】
このような容器はたとえば容量が１００ｍｌ以下の小型の容器として使用した場合において、内容液が少なくなった状態でも、底部近傍にある内容液の液面高さを高く保持することができる等の特徴を有する。
【００１６】
【発明の実施の形態】
以下、本発明の実施の形態を図面を参照しながら説明する。
図１と図２は本発明のブロー成形容器の第１実施例を示すものであり、ダイレクトブロー成形により得られた、底部４の上方に円筒状の胴部３そしてその上方に円筒状の口部２が連設された形状の容器１であり、たとえば口部２には軸付きブラシを有したキャップが螺合により組付き固定されマスカラ用あるいはアイライナー用の容器本体に使用されるものである。
【００１７】
この容器１の口部２の口部最小口径は１０．５ｍｍ、胴部３の径は１５ｍｍ、高さは７５ｍｍである。また割金型１２による喰い切り痕５は底部４の底面４ａにのみ形成されており、その幅は１３ｍｍであり、底部４近傍の側面には露出していない
【００１８】
容器１はダイレクトブロー成形法によって得られたものであるが、図５はダイレクトブロー法における型締め工程を示した説明図である。ダイレクトブローはパリソン１１を押出機２１より押し出し、このパリソン１１をブロー成形の割金型１２が型締めして挟み込み、当該割金型１２のキャビティー１２ａの底辺に配設の刃部であるピンチオフ部１３で溶融樹脂の下部を切断すると共に、金型の上部ではパリソンカッター１４で筒状の溶融樹脂の上部を切断することで、有底筒体のパリソン１１を形成し、次いで割金型１２の頂部より挿入のエアーノズルによってブローエアーがパリソン１１に吹き込まれて成形品に成形される。
【００１９】
図６は第１実施例の容器１の成形時のパリソン１１と割金型１２の位置関係を、図５における矢視Ａから見た状態を示すもであり、パリソンの外径Ｄｐは口部２の最小径Ｄｍｉｎよりわずかに小さい１０ｍｍであり、胴部３から底部４にかけてのブロー比は１．５（１５ｍｍ／１０ｍｍ）である。
【００２０】
パリソン１１の外径Ｄｐが１０ｍｍであるのでそのまま割金型により挟みこんで２つに折り畳むとその幅は、１．６Ｄｐすなわち１６ｍｍになるが、割金型１２のキャビティー１２ａの下方において、パリソン１１の扁平状の潰れ変形を規制しながらピンチオフ部で挟みこむ。
【００２１】
なお、本願発明は、喰い切り痕５の幅がパリソン１１の外径の１．６倍より小さい新規なダイレクトブロー成形法によるブロー成形容器を提供するものであるが、パリソンの肉厚によっては、喰い切り痕の幅がパリソン１１の外径の１．８倍程度であっても上記した方法により初めて喰い切り痕５の形成を底部４の底面４ａにのみに限定した容器を提供することができる。
【００２２】
図３および図４は本発明のブロー成形容器の第２実施例を示したものであり、第１実施例の容器１同様円筒状であるが、胴部３の上端から底部４にかけて緩やかに縮径した形状である。口部２の最小径Ｄｍｉｎは１０ｍｍ、底部４のパーティングライン方向の寸法Ｌｂｏｔｔｏｍ（円筒状であるの底部の径に相当する。）は最小径Ｄｍｉｎよりわずかに小さい９．５ｍｍ、胴部３の最大径は１５ｍｍ、高さは６０ｍｍである。
【００２３】
この容器１をブロー成形するためのパリソン１１の外径Ｄｐは８ｍｍであり、また喰い切り痕５底部４の底面４ａにのみ形成されており、その幅は９ｍｍであり、底部４近傍の側面には見られない。
【００２４】
【発明の効果】
本発明は、上記した構成となっているので、以下に示す効果を奏する。
請求項１の発明については、特にはダイレクトブロー成形法で得らたブロー比が小さくかつ喰切り痕の形成が底部の底面にのみ限定された、従来にない新規な容器を提供する。
【００２５】
請求項２記載の発明については、口部、胴部に比較して底部の径が小さく、かつ喰い切り部の形成が底部の底面に限定された、ダイレクトブロー成形法では従来にはない容器を提供することができる。
【図面の簡単な説明】
【図１】本発明のブロー成形容器の第１実施例の容器を示す、正面図。
【図２】本発明のブロー成形容器の第１実施例の容器を示す、底面図。
【図３】本発明のブロー成形容器の第２実施例の容器を示す、正面図。
【図４】本発明のブロー成形容器の第２実施例の容器を示す、底面図。
【図５】ダイレクトブロー成形法の型締め工程を示す、説明図。
【図６】本発明のブロー成形容器の第１実施例の容器にブロー成形されるパリソンと割り金型の位置関係を、パリソンを縦断し、図５中のＡ方向から矢視して示す、正面図。
【符号の説明】
１　；　容器
２　；　口部
３　；　胴部
４　；　底部
４ａ　；　底面
５　；　喰い切り痕
６　；　パーティングライン
１１　；　パリソン
１２　；　割金型
１２ａ　；キャビティー
１３　；ピンチオフ部
１４　；パリソンカッター
Ｄｍｉｎ　；　口部の最小径
Ｌｂｏｔｔｏｍ　；　底部の寸法
Ｄｐ　；パリソンの外径
【図１】
2004001314.tif 000003
【図２】
2004001314.tif 000004
【図３】
2004001314.tif 000005
【図４】
2004001314.tif 000006
【図５】
2004001314.tif 000007
【図６】
2004001314.tif 000008